【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
長手方向に延びるフット・キールと、
該フットキールに取り付けられ、該フット・キールから上方向に延びる、弾性を有する
カーフ・シャンク
とを備えた義足であって、
前記カーフ・シャンクが人の脚の端部の支持構造との接続のために当該義足の足首ジョイント領域と、脚の下部義足部とを形成し、
前記カーフ・シャンクが、改良された動的応答能力のために前記フット・キールから上方向に延び、前方に向かって凸状に湾曲した部分を含む義足。
【請求項２】
前記義足の機能を特定の仕事用に調節するために前記カーフ・シャンクとフット・キールとのアラインメントを調節するための手段をさらに備え、当該アラインメントを調節するための手段が、前記フット・キールおよびカーフ・シャンクの少なくとも１つにおいて長手方向に延びる開口と、該開口を通って延びる解放可能なファスナとを含み、当該アラインメントを調節するために、前記カーフ・シャンクをフット・キールに調節自在に取り付けることを許す請求項１記載の義足。
【請求項３】
前記フット・キールおよびカーフ・シャンクのそれぞれに長手方向に延びる開口が設けられ、該開口を通って前記解放可能なファスナが延びる請求項２記載の義足。
【請求項４】
前記カーフ・シャンクとフット・キールとの間に設けられた結合要素と、該結合要素によって前記カーフ・シャンクをフット・キールに取り付けるために該結合要素を介して延びる解放可能なファスナとをさらに備える請求項１記載の義足。
【請求項５】
前記解放可能なファスナが、前記結合要素をフット・キールに連結し、前記カーフ・シャンクをフット・キールに取り付けるために、別の解放可能なファスナが設けられ、該別の解放可能なファスナが前記結合要素をカーフ・シャンクに連結する請求項４記載の義足。
【請求項６】
前記解放可能ファスナと前記別の解放可能ファスナが、前記結合要素内において、前記フット・キールの長手方向に沿った方向において互いに離間している請求項５記載の義足。
【請求項７】
前記別の解放可能ファスナが、前記解放可能ファスナよりも後方に位置している請求項６記載の義足。
【請求項８】
前記前方に向って凸状に湾曲した部分がパラボラ形状をなし、その湾曲部の最も小さい半径が前記下端部に位置し、該パラボラ形状にて上方に延長している請求項１記載の義足。
【請求項９】
前記カーフ・シャンクがＳ形状をなし、該Ｓ形状の部分が前記カーフ・シャンクの前方に向って凸状に湾曲した下端部を形成している請求項１記載の義足。
【請求項１０】
前記カーフ・シャンクがＪ形状をなし、該Ｓ形状の部分が前記カーフ・シャンクの前方に向って凸状に湾曲した部分を形成している請求項１記載の義足。
【請求項１１】
前記カーフ・シャンクの二つの垂直方向に離間した端部が各々の自由端として凸状に湾曲され、前記自由端が、該自由端と対向する側の該湾曲した端部を結合する前記カーフ・シャンクの比較的直線的な垂直部分と共に前記長手方向に延長したフット・キールに沿って同方向に延長している請求項１記載の義足。
【請求項１２】
前記下部の、脚の義足部を形成しているカーフ・シャンクが実質的に曲線−直線状に上方に延び、前記カーフ・シャンクが逆に湾曲されて前記カーフ・シャンクのまっすぐに垂直に延びる上端と併合されてなる請求項１記載の義足。
【請求項１３】
前記フット・キールが一端における前足部、他端における後足部、該前足部と後足部との間で上方向に弧を描いた中足部を有し、前記前足部および後足部が凸状に湾曲している請求項１記載の義足。
【請求項１４】
前記フット・キールが一端における前足部、他端における後足部、該前足部と後足部との間で上方向に弧を描いた中足部を有し、前記フット・キールの中足部が、前記前足部と後足部間におけるその長手範囲全体にかけて凸状に湾曲している請求項１記載の義足。
【請求項１５】
前記フット・キールが一端における前足部、他端における後足部、該前足部と後足部との間で上方向に弧を描いた中足部を有し、前記フット・キールの中足部が後上方に向いた凹部を含み、前記凹部の内部において、該カーフ・シャンクの湾曲した下端部が前記解放可能ファスナの方法により該フット・キールに取り付けられている請求項１記載の義足。
【請求項１６】
前記フット・キールが一端における前足部、他端における後足部、該前足部と後足部との間で上方向に弧を描いた中足部を有し、前記後足部が後側方角を備えた踵を含み、この後側方角が、踵の中央角よりも後側方に位置しているために、歩行の初期接触段階中に接触後足の反り返りが促進される請求項１記載の義足。
【請求項１７】
前記フット・キールが一端における前足部、他端における後足部、該前足部と後足部との間で上方向に弧を描いた中足部を有し、前記フット・キールの中足部の足底表面が長手方向円弧状凹部を備え、その半径における中間面が側面よりも大きい請求項１記載の義足。
【請求項１８】
前記フット・キールが一端における前足部、他端における後足部、該前足部と後足部との間で上方向に弧を描いた中足部を有し、前記中足部と前記フット・キールの前足部との背面アスペクトが、人間の足の第五放射状軸の動作を模倣する上方に向いた凹部により形成されており、人間の足の第二〜第五中足骨の傾斜した下部ギア回転軸の場合と同様に、歩行における第五放射状部の動作を促進するために、前記凹部が、前記中央部が側部よりも前方に位置した状態で、前記フット・キールの長軸に対して２０°〜３５°の角度に方位付けされた長軸を備えている請求項１記載の義足。
【請求項１９】
前記フット・キールが一端における前足部、他端における後足部、該前足部と後足部との間で上方向に弧を描いた中足部を有し、前記キールの前足部の前部が、その背面および足底面の間の前記前足部を通って延長している中央部および側部拡張ジョイントホールを含み、前記拡張ジョイント部が、中央、中間、側方拡張骨ばりを形成するために、前記ジョイントホールの各々から該前足部の前方縁へと前方向に延長しており、前記拡張骨ばりによって、前記フット・キールの前足部の改善された二平面動作機能が生じる請求項１記載の義足。
【請求項２０】
前記拡張ジョイントホールが、中央拡張ジョイントホールが側方拡張ジョイントホールよりも前方に位置した状態で、前記フット・キールの長軸に対して２０°〜３５°の角度で延長している横断面中のラインに沿って配備されている請求項１９記載の義足。
【請求項２１】
球欠平面上に突出している状態の前記拡張ジョイントホールが横断面に対して４５°の角度で傾斜し、該ホールの背面アスペクトが足底アスペクトよりも前方に位置している請求項１９記載の義足。
【請求項２２】
前記解放可能ファスナから側方拡張ジョイントホールまでの前記距離が、前記解放可能ファスナから中央拡張ジョイントホールまでの距離よりも短いため、該義足の側部のつま先レバーが中央部のものよりも短く、中足の高低動応答を可能にするようになっている請求項１９記載の義足。
【請求項２３】
歩行後期の構え段階における踵上がりつま先下がりの状態で背屈した人間のつま先を刺激するために、前記フット・キールの前方端が上方に湾曲した円弧形状に成形されている請求項１記載の義足。
【請求項２４】
前記フット・キールが一端における前足部、他端における後足部、該前足部と後足部との間で上方向に弧を描いた中足部を有し、前記キールの後足部の後方部が、背面と足底面の間において該前足部を貫通して延長した少なくとも一つの拡張ジョイントホールを備え、拡張ジョイントが前記拡張ジョイントホールから前足部の前方縁へと前方に延長することで、前記足の前足部の改善された二平面動作機能を生じる複数の拡張骨ばりを形成する請求項１記載の義足。
【請求項２５】
前記フット・キールが一端における前足部、他端における後足部、該前足部と後足部との間で上方向に弧を描いた中足部を有し、前記キールの前足、中足、後足部が弾性材料の単一部品で形成されている請求項１記載の義足。
【請求項２６】
前記弾性材料が半硬質性プラスチックである請求項２５記載の義足。
【請求項２７】
前記フット・キールが半剛性材料から長手方向の円弧に形成され、歩行時に当該義足の動的応答能力を生成して、前記長手方向の円弧の中間面が比較的高い動的応答能力を有し、前記長手方向の円弧の側面が比較的低い動的応答特性を有する請求項１記載の義足。
【請求項２８】
前記フット・キールの後方端が、踵が大地と衝突している最中に、衝撃を吸収するための圧縮によって大地反力に反応する、上方に湾曲した円弧状に形成されている請求項１記載の義足。
【請求項２９】
前記フット・キールが一端における前足部、他端における後足部、該前足部と後足部との間で上方向に弧を描いた中足部を有し、前記キールの後足部の前方が拡張ジョイントホールを含み、前記拡張ジョイントホールが、背面と足底面の間において該後足部を通って延長し、また、拡張ジョイント部が、前記拡張ジョイントホールから後足部の後方縁へと後方に向かって延長しているため、前記足の後足部の改善された二平面動作機能を生じる複数の拡張骨ばりが形成される請求項２５記載の義足。
【請求項３０】
義足であって、
一端に前足部と、対向端に後足部と、前記前足部と後足部間で延長し、前記前足部と後足部から上方向に円弧を描き、上方に向かって円弧状に湾曲している比較的長い中足部とを具備した長手方向延長フット・キールと；
下方に凸状に湾曲した下端部を備えたカーフ・シャンクと；
前記義足の足首関節範囲を形成するために、前記カーフ・シャンクの湾曲した下端部を該キールの中足部に取り付ける調整可能締付装置とを配備しており、
前記義足の機能を調整するために、前記調整可能締付装置が、前記カーフ・シャンクと前記フット・キールの、該フット・キールの長手方向での相互に関連したアラインメントの調整を許容する義足。
【請求項３１】
前記調整可能締付装置が、少なくとも一つの解放可能ファスナと、前記カーフ・シャンクと前記キールの間に配備されている結合要素とを含み、また、前記結合要素と、前記少なくとも一つの解放可能ファスナが該カーフ・シャンクを該フット・キールに取り付ける請求項３０記載の義足。
【請求項３２】
前記調整可能締付装置が、該カーフ・シャンクとフット・キールの各々に設けられた長手方向延長開口部を含み、前記開口部が、解放可能ファスナの各々を受容し、前記義足の機能を調整するべく、該カーフ・シャンクおよび該キールが或る調整範囲にかけて、前記長手方向において相互に対し滑動することを許容する請求項３１記載の義足。
【請求項３３】
前記カーフ・シャンクの凸状に湾曲した下端部が、前記下端部から上前方に向かって延長している請求項３０記載の義足。
【請求項３４】
特定の作業について改善された機能を得るべく調整することが可能な義足用のフット・キールであって、前記フット・キールが、一端に前足部と、対向端に後足部と、前記前足部と後足部間で延長し、上方に向かって円弧状に湾曲している比較的長い中足部とを具備した、長手方向に延長した半硬質の弾性部材を備え、当該フット・キールの中間部が側面よりも動的応答能力が高く、当該義足に高低動的応答特性を与えており、これにより形成される義足の機能を調整するべく、前記キールの中足部の後方面に締付装置が設けられ、前記締付装置が、カーフ・シャンクが長手方向において、該フット・キールに関連して調整可能に整列し、前記フット・キールに取り付けられることを許容するフット・キール。
【請求項３５】
前記締付装置が中足部に設けられた長手方向延長開口部を含み、該開口部に沿って、前記フット・キールとカーフ・シャンクを連結するためのファスナが滑動することが可能である請求項３４記載のフット・キール。
【請求項３６】
前記前足部および後足部が上方に向かって凹状に湾曲している請求項３４記載のフット・キール。
【請求項３７】
前記中足部が、前記前足部と後足部間における長手方向範囲全体にかけて、上方向凸状に湾曲している請求項３４記載のフット・キール。
【請求項３８】
前記中足部が、前記締付装置における解放可能ファスナの方法により前記フット・キールに取り付けるカーフ・シャンクの湾曲下端部を受容するための前上方に向いた凹部を含む請求項３４記載のフット・キール。
【請求項３９】
前記後足部が、踵の中央角よりもさらに後方および側方に位置する後側方角を具備した踵を備えているために、歩行の初期接触段階中に後足の反り返りが促進される請求項３４記載のフット・キール。
【請求項４０】
前記フット・キール部材の中足部の足底面が、半径において側面よりも高い中間面を有する長手方向円弧状凹部を備えている請求項３４記載のフット・キール。
【請求項４１】
前記フット・キール部材の中足部と前足部の背面アスペクトが、動作中に、人間の足の第五放射状軸の動作を模倣する上方に向いた凹部により形成されており、前記凹部が、中央部が側方よりもより前方に位置している前記フット・キールの長軸に対して２０°〜３５°の角度で角度付けされた長軸を備えているために、歩行中の第五放射状動作が、人間の足における第二〜第五中足骨の傾斜下部ギア回転軸の場合と同様に促進される請求項３４記載のフット・キール。
【請求項４２】
前記フット・キール部材の中足部と前足部の背面アスペクトが、上方に向いた凹部で形成されており、前記凹部が、前記フット・キールの前方表面と平行する方向に向いた長軸を備えている請求項３４記載のフット・キール。
【請求項４３】
前記キール部材の前足部の後方部に、背面と足底面の間で前記前足部を貫通して延長している中央および側方拡張ジョイントホールが設けられており、また、前記フット・キール部材の前足部の改善された二平面動作機能を生じる中間、中央および側方拡張骨ばりを形成するべく、拡張ジョイント部が、該ジョイントホールの各々から前足部の前方縁へと前方に向かって延長している請求項３４記載のフット・キール。
【請求項４４】
前記拡張ジョイントホールが、前記フット・キールの長軸に対して３５°の角度で延びている横断面中のラインに沿って配備されており、中央拡張ジョイントホールが側方拡張ジョイントホールよりもさらに前方に位置している請求項４３記載のフット・キール。
【請求項４５】
前記拡張ジョイントホールが、前部フット・キールの前方平面と平行なラインに沿って配備されている請求項４４記載のフット・キール。
【請求項４６】
球欠平面上に突出した状態の前記拡張ジョイントホールが横断面に対して４５°の角度で傾斜し、前記ジョイントホールの背面アスペクトが足底アスペクトよりもさらに前方に位置している請求項４３記載のフット・キール。
【請求項４７】
前記締付装置から側方拡張ジョイントホールまでの距離が、前記解放可能締付装置から中央拡張ジョイントホールまでの距離よりも長いため、前記義足のフット・キールのつま先レバーが中央のレバーよりも短く、これにより中足の高低動応答を得ることが可能になる請求項４３記載のフット・キール。
【請求項４８】
歩行の後期構え段階における踵上がりつま先下がりの状態で背屈している人間のつま先を刺激するために、前記前足部の前方端部が上方に湾曲した円弧の形状をなしている請求項３４記載のフット・キール。
【請求項４９】
前記キールの前足部の後方が少なくとも一つの拡張ジョイントホールを含み、前記拡張ジョイントホールが背面と足底面の間で前足部を貫通して延長しており、拡張ジョイント部が、該拡張ジョイントホールから前記前足部の前方縁へと前方に向かって延長しているため、該足の前足部の改善された二平面動作機能を生じさせる複数の拡張骨ばりが形成される請求項３４記載のフット・キール。
【請求項５０】
歩行中の義足に高低動応答機能を生成するために、前記中足部が長手方向円弧状に形成されている請求項３４記載のフット・キール。
【請求項５１】
前記後足部の後方端が、衝撃吸収のための圧縮によって踵が大地と衝突する最中に大地反力に反応する上方湾曲円弧の形状をなしている請求項３４記載のフット・キール。
【請求項５２】
前記キールの後足部の前方が拡張ジョイントホールを備えており、前記拡張ジョイントホールが、背面と足底面の間において該後足部を貫通して延長しており、拡張ジョイント部が、前記拡張ジョイントホールから後足部の後方縁へと後方に延長しているので、歩行中における義足の後足部の改善された二平面動作機能を生じさせる複数の拡張骨ばりが形成される請求項３４記載のフット・キール。
【請求項５３】
前記フット・キールの前方端が該フット・キールの前方面と平行する請求項３４記載のフット・キール。
【請求項５４】
前記後方ターミナルヒール範囲が該フット・キールの前方平面と平行する請求項３４記載のフット・キール。
【請求項５５】
義足用のカーフ・シャンクであって、
細長い半硬質性の弾性部材を備え、前記部材の一端には、前記義足の足首範囲を形成するべくフット・キールに取り付けるための前方に向って凸状湾曲部が設けられ、前記部材の対向端には、該カーフ・シャンクを切断手術された人の脚上で支持構造に連結するための手段が設けられ、また、該フット・キールおよびカーフ・シャンクにより形成された義足の機能を調整するために、前記部材の該一端における凸状湾曲部が締付装置を備えており、前記締付装置が、該カーフ・シャンクが該フット・キールの長手方向においてフット・キールに関連して調整可能に整列することを許容するカーフ・シャンク。
【請求項５６】
前記締付装置が、前記部材の凸状湾曲部に設けられた長手方向延長開口部を含み、前記開口部に沿って、前記カーフ・シャンクをフット・キールに連結するためのファスナが滑動することができる請求項５５記載のカーフ・シャンク。
【請求項５７】
前記前方に向かう凸状湾曲部がパラボラ形状をなしている請求項５５記載のカーフ・シャンク。
【請求項５８】
前記カーフ・シャンクがＳ形状をなしている請求項５５記載のカーフ・シャンク。
【請求項５９】
前記カーフ・シャンクがＪ形状をなしている請求項５５記載のカーフ・シャンク。
【請求項６０】
前記カーフ・シャンク部材の一端と対向端の各々が、同方向における前記部材の各自由端に対して凸状に湾曲しており、また、前記部材の比較的直線的部分が、該部材の、該自由端の側と対向する側部上の前記湾曲した端部を結合する請求項５５記載のカーフ・シャンク。
【請求項６１】
義足の機能を作業特有にするべく調整する方法であって、前記義足が長手方向に延長するフット・キールを備え、前記フット・キールが、一端に前足部と、対向部に後足部と、前記前足部と後足部間に延長し、上方に湾曲している比較的長い中足部とを装備しており、また、前記義足の足首関節範囲を形成するために、カーフ・シャンクがその或る部分において、調整可能な締付装置の方法により、該キール中央部に取り付けられている前方に向って凸状に湾曲した部分を備え、前記方法が、該カーフ・シャンクおよび該フット・キールを、該フット・キールの長手方向において、相互に関連して調整し、また、前記カーフ・シャンクとフット・キールを調整された位置にて、相互に対して該締付装置で固定する方法。
【請求項６２】
前記義足を人の脚の端部の支持構造に連結する際の使用のために前記カーフ・シャンクの上端に連結されたアダプタをさらに備えてなる請求項１記載の義足。
【請求項６３】
前記フット・キールが、前足底表面重量支持領域を有し、該前足底表面重量支持領域が側方に離間した拡張ストラットを含み、前記フット・キールのバイプラナ運動を生成する請求項１記載の義足。
【請求項６４】
前記カーフ・シャンクが単一の弾性材料から形成される請求項１記載の義足。
【請求項６５】
前記フットキールが前部および後部足底表面重量支持領域含み、該前部足底表面重量支持領域が、前記フット・キールの長手方向軸に対して２０°〜３０°の角度の方向にあり、義足の側方部に中間部より短いトウレバーを与えて高低の動的応答を可能にするために、中間側が側方側よりも前部にある請求項３４記載のフット・キール。
【請求項６６】
義足におけるフット・キールとともに用いるためのカーフ・シャンクであって、義足におけるフット・キール
細長い弾性部材であって、義足におけるフット・キールに取り付けるための下端を有し、前記部材の前方に向う凸状湾曲部が、前記義足の足首範囲を形成するべくフット・キールから上方に延びる、細長い弾性部材を備え、
前記部材が、前記足首範囲の上に実質的に曲線−直線状に上方に延びることにより、歩行における義足の動的応答を改良するためにエネルギーを蓄積および解放するための歩行中の大地反力に応答する拡張可能および圧縮可能な脚の下部義足部を、前記足首範囲の上に形成するカーフ・シャンク。
【請求項６７】
切断手術された脚の端部の支持構造との接続のための前記部材の上部に連結されたアダプタをさらに備える請求項６６記載のカーフ・シャンク。
【請求項６８】
前記足首範囲の上に実質的に曲線−直線状に上方に延びる前記部材が、逆に湾曲されて前記部材のまっすぐ垂直方向の上端と併合されてなる請求項６６記載のカーフ・シャンク。
【請求項６９】
前記足首範囲の上の部材も、また前方に向って凸状に湾曲されてなる請求項６６記載のカーフ・シャンク。
【請求項７０】
前記部材の凸状に湾曲された下部が、前記足首範囲の上の凸状に湾曲された部材よりも相対的に曲率半径が小さい請求項６９記載のカーフ・シャンク。
【請求項７１】
前記部材がＪ形状をなしており、当該Ｊ形状の下部分が、前記部材の前方に向かって凸状に湾曲された下部分を形成する請求項６９記載のカーフ・シャンク。
【請求項７２】
前記部材がパラボラ形状をなしている請求項６６記載のカーフ・シャンク。
【請求項７３】
前記部材が、逆に湾曲されて前記部材のまっすぐ垂直方向の上端と併合されてなるパラボラ形状をなしている請求項６６記載のカーフ・シャンク。
【請求項７４】
前記部材の下端を前記フット・キールに取り付けるための締付装置をさらに備えてなる請求項６６記載のカーフ・シャンク。
【請求項７５】
前記締付装置が、前記カーフ・シャンクの有効長さおよびそれによる当該カーフ・シャンクの動的応答能力を変更することを許容する請求項７４記載のカーフ・シャンク。
【請求項７６】
前記締付装置が、前記フット・キールの長手方向における前記部材およびフット・キールの互いに関するアラインメントの調整を許容するために調整可能である請求項７４記載のカーフ・シャンク。
【請求項７７】
前記締付装置が、前記部材が前記フット・キールの長手方向に当該フット・キールに取り付けられたときの傾斜を調整可能な手段を含む請求項７４記載のカーフ・シャンク。
【請求項７８】
前記部材がＳ形状をなしており、当該Ｓ形状の下部分が、前記部材の前方に向かって凸状に湾曲された下部分を形成する請求項６６記載のカーフ・シャンク。
【請求項７９】
前記部材の上端と下端の各々が、フット・キールに沿って同方向における前記部材の各自由端に対して凸状に湾曲し、前記部材の比較的直線的な立上がり部分が、自由端の側と対する側の湾曲した端を結合する請求項６６記載のカーフ・シャンク。
【請求項８０】
前記部材が単一の弾性材料から形成される請求項６６記載のカーフ・シャンク。
。
【請求項８１】
前記部材が形状記憶特性を有する材料から形成される請求項６６記載のカーフ・シャンク。
【請求項８２】
特定の作業について改善された機能を得るべく調整することが可能な義足用のフット・キールであって、前記フット・キールが、一端に前足部と、対向端に後足部と、前記前足部と後足部間で延長し、上方に向かって円弧状に湾曲している比較的長い中足部とを具備した、長手方向に延長した半硬質の弾性部材を備え、これにより形成される義足の機能を調整するべく、前記キールの中足部の後方部に締付装置が設けられ、前記締付装置が、カーフ・シャンクが長手方向において、該フット・キールに関連して調整可能に整列し、前記フット・キールに取り付けられることを許容するフット・キール。
【請求項８３】
前記締付装置が前記後方部に設けられた長手方向延長開口部を含み、該開口部に沿って、前記フット・キールとカーフ・シャンクを連結するためのファスナが滑動することが可能である請求項８２記載のフット・キール。
【請求項８４】
前記前足部および後足部が上方に向かって凹状に湾曲している請求項８２記載のフット・キール。
【請求項８５】
前記中足部が、前記前足部と後足部間における長手方向範囲全体にかけて、上方向凸状に湾曲している請求項８２記載のフット・キール。
【請求項８６】
前記中足部が、前記締付装置における解放可能ファスナの方法により前記フット・キールに取り付けるカーフ・シャンクの湾曲下端部を受容するための前上方に向いた凹部を含む請求項８２記載のフット・キール。
【請求項８７】
前記後足部が、踵の中央角よりもさらに後方および側方に位置する後側方角を具備した踵を備えているために、歩行の初期接触段階中に後足の反り返りが促進される請求項８２記載のフット・キール。
【請求項８８】
前記フット・キール部材の中足部の足底面が、半径において側面よりも高い中間面を有する長手方向円弧状凹部を備えている請求項８２記載のフット・キール。
【請求項８９】
前記フット・キール部材の中足部と前足部の背面アスペクトが、動作中に、人間の足の第五放射状軸の動作を模倣する上方に向いた凹部により形成されており、前記凹部が、中央部が側方よりもより前方に位置している前記フット・キールの長軸に対してある角度で角度付けされた長軸を備えているために、歩行中の第五放射状動作が、人間の足における第二〜第五中足骨の傾斜下部ギア回転軸の場合と同様に促進される請求項８２記載のフット・キール。
【請求項９０】
前記フット・キール部材の中足部と前足部の背面アスペクトが、上方に向いた凹部で形成されており、前記凹部が、前記フット・キールの前方表面と平行する方向に向いた長軸を備えている請求項８２記載のフット・キール。
【請求項９１】
前記キール部材の前足部の後方部に、背面と足底面の間で前記前足部を貫通して延長している中央および側方拡張ジョイントホールが設けられており、また、前記フット・キール部材の前足部の改善された二平面動作機能を生じる中間、中央および側方拡張骨ばりを形成するべく、拡張ジョイント部が、該ジョイントホールの各々から前足部の前方縁へと前方に向かって延長している請求項８２記載のフット・キール。
【請求項９２】
前記拡張ジョイントホールが、前記フット・キールの長軸に対してある角度で延びている横断面中のラインに沿って配備されており、中央拡張ジョイントホールが側方拡張ジョイントホールよりもさらに前方に位置している請求項９１記載のフット・キール。
【請求項９３】
前記拡張ジョイントホールが、前部フット・キールの前方平面と平行なラインに沿って配備されている請求項９２記載のフット・キール。
【請求項９４】
球欠平面上に突出した状態の前記拡張ジョイントホールが横断面に対して４５°の角度で傾斜し、前記ジョイントホールの背面アスペクトが足底アスペクトよりもさらに前方に位置している請求項９１記載のフット・キール。
【請求項９５】
前記締付装置から中央拡張ジョイントホールまでの距離が、前記解放可能締付装置から側方拡張ジョイントホールまでの距離よりも長いため、前記義足のフット・キールのつま先レバーが中央のレバーよりも短く、これにより中足の高低動応答を得ることが可能になる請求項９１記載のフット・キール。
【請求項９６】
歩行の後期構え段階における踵上がりつま先下がりの状態で背屈している人間のつま先を刺激するために、前記前足部の前方端部が上方に湾曲した円弧の形状をなしている請求項８２記載のフット・キール。
【請求項９７】
前記キールの前足部の後方が少なくとも一つの拡張ジョイントホールを含み、前記拡張ジョイントホールが背面と足底面の間で前足部を貫通して延長しており、拡張ジョイント部が、該拡張ジョイントホールから前記前足部の前方縁へと前方に向かって延長しているため、該足の前足部の改善された二平面動作機能を生じさせる複数の拡張骨ばりが形成される請求項８２記載のフット・キール。
【請求項９８】
歩行中の義足に高低動応答機能を生成するために、前記中足部が、長手方向円弧の中央アスペクトが相対的に高い動応答機能を有するとともに長手方向円弧の側方アスペクトが相対的に低い動応答機能を有するように、長手方向円弧状に形成されている請求項８２記載のフット・キール。
【請求項９９】
前記後足部の後方端が、衝撃吸収のための圧縮によって踵が大地と衝突する最中に大地反力に反応する上方湾曲円弧の形状をなしている請求項８２記載のフット・キール。
【請求項１００】
前記キールの後足部の前方が拡張ジョイントホールを備えており、前記拡張ジョイントホールが、背面と足底面の間において該後足部を貫通して延長しており、拡張ジョイント部が、前記拡張ジョイントホールから後足部の後方縁へと後方に延長しているので、歩行中における義足の後足部の改善された二平面動作機能を生じさせる複数の拡張骨ばりが形成される請求項８２記載のフット・キール。
【請求項１０１】
前記フット・キールの前方端が該フット・キールの前方面と平行する請求項８２記載のフット・キール。
【請求項１０２】
前記後方ターミナルヒール範囲が該フット・キールの前方平面と平行する請求項８２記載のフット・キール。
【請求項１０３】
前記フット・キールが、後方および前方足底表面重量支持領域、該重量支持領域の間に延びる非重量支持中央部分を有する請求項１記載の義足。
【請求項１０４】
前記前方足底表面重量支持領域が、前記フット・キールの長手方向軸に対してある角度で角度付けられ、中央側が側方側よりも前方にある請求項１記載の義足。